(57)【要約】【課題】紙幣カセットに集積されている紙幣の枚数によらず精査処理を行うこと。【解決手段】紙幣を集積する１または２以上の紙幣集積部と、前記紙幣集積部から回収された紙幣、または前記紙幣集積部に補充するための紙幣を集積する補充回収部と、紙幣を一時保留する一時保留部と、前記１または２以上の紙幣集積部に集積されている紙幣の精査処理を制御する制御部と、を備え、前記制御部は、前記紙幣集積部における紙幣の集積状態に応じ、前記紙幣集積部に集積されている紙幣を前記補充回収部および前記一時保留部に分配して移動させ、前記補充回収部および前記一時保留部から前記紙幣集積部に紙幣を戻す精査処理を制御する、紙幣処理装置。【選択図】図３
2014123310.tif 000002
【特許請求の範囲】
【請求項１】
紙幣を集積する１または２以上の紙幣集積部と、
前記紙幣集積部から回収された紙幣、または前記紙幣集積部に補充するための紙幣を集積する補充回収部と、
紙幣を一時保留する一時保留部と、
前記１または２以上の紙幣集積部に集積されている紙幣の精査処理を制御する制御部と、
を備え、
前記制御部は、前記紙幣集積部における紙幣の集積状態に応じ、前記紙幣集積部に集積されている紙幣を前記補充回収部および前記一時保留部に分配して移動させ、前記補充回収部および前記一時保留部から前記紙幣集積部に紙幣を戻す精査処理を制御する、紙幣処理装置。
【請求項２】
前記制御部は、前記紙幣集積部における紙幣の集積が満状態であることが検出されている場合、前記一時保留部を用いる前記精査処理を制御する、請求項１に記載の紙幣処理装置。
【請求項３】
前記一時保留部および前記補充回収部に集積可能な紙幣の最大枚数の合計は、前記１または２以上の紙幣集積部のうちで最も容量の大きい紙幣集積部に集積可能な紙幣の最大枚数以上である、請求項２に記載の紙幣処理装置。
【請求項４】
前記一時保留部を用いる前記精査処理は、前記紙幣集積部に集積されている紙幣の前記補充回収部および前記一時保留部への移動に先立ち、当該紙幣集積部に集積されている紙幣の一部を他の紙幣集積部に移動させる処理を含む、請求項１〜３のいずれか一項に記載の紙幣処理装置。
【請求項５】
前記制御部は、前記他の紙幣集積部として、精査処理が完了済みの紙幣集積部を優先して選択する、請求項４に記載の紙幣処理装置。
【請求項６】
前記制御部は、前記１または２以上の紙幣集積部に集積されている紙幣、および前記補充回収部に集積されている紙幣の合計枚数に応じ、前記精査処理を前記１または２以上の紙幣集積部に集積されている紙幣について一括または個別で制御する、請求項１〜５のいずれか一項に記載の紙幣処理装置。
【請求項７】
前記制御部は、前記紙幣の合計枚数が閾値を上回る場合には前記精査処理を個別で制御し、前記紙幣の合計枚数が閾値を下回る場合には前記精査処理を一括して制御する、請求項６に記載の紙幣処理装置。
【請求項８】
前記閾値は、前記補充回収部に集積可能な紙幣の最大枚数よりも小さい、請求項７に記載の紙幣処理装置。
【請求項９】
前記紙幣集積部と前記補充回収部との間の紙幣の移動経路には紙幣を鑑別する鑑別部を備え、
前記制御部は、前記鑑別部により鑑別された紙幣の枚数を計数することにより前記精査処理を行う、請求項１〜８のいずれか一項に記載の紙幣処理装置。
【請求項１０】
紙幣を集積する１または２以上の紙幣集積部と、前記紙幣集積部から回収された紙幣、または前記紙幣集積部に補充するための紙幣を集積する補充回収部と、紙幣を一時保留する一時保留部と、を備える紙幣処理装置を、
前記１または２以上の紙幣集積部に集積されている紙幣の精査処理を制御する制御部であって、前記紙幣集積部における紙幣の集積状態に応じ、前記紙幣集積部に集積されている紙幣を前記補充回収部および前記一時保留部に分配して移動させ、前記補充回収部および前記一時保留部から前記紙幣集積部に紙幣を戻す精査処理を制御する制御部、
として機能させるための、プログラム。
【請求項１１】
紙幣を集積する１または２以上の紙幣集積部と、前記紙幣集積部から回収された紙幣、または前記紙幣集積部に補充するための紙幣を集積する補充回収部と、紙幣を一時保留する一時保留部と、を備える紙幣処理装置により実行される紙幣処理方法であって、
前記紙幣集積部における紙幣の集積状態に応じ、前記紙幣集積部に集積されている紙幣を前記補充回収部および前記一時保留部に分配して移動させ、前記補充回収部および前記一時保留部から前記紙幣集積部に紙幣を戻す精査処理を制御するステップを含む、紙幣処理方法。
【発明の詳細な説明】
【技術分野】
【０００１】
本発明は、紙幣処理装置、プログラムおよび紙幣処理方法に関する。
【背景技術】
【０００２】
近日、銀行、駅構内、およびコンビニエンスストアなど、多様な場所に自動取引装置（ＡＴＭ：ａｕｔｏｍａｔｅｄ−ｔｅｌｌｅｒ  ｍａｃｈｉｎｅ）が設置されている。顧客は、この自動取引装置に表示される表示画面において各種操作を行うことにより、入金、出金および残高照会などの取引を行うことができる。
【０００３】
このような自動取引装置は、金種ごとに紙幣を集積するための紙幣カセットを有する。例えば、自動取引装置は、入金取引においては顧客によって入金された紙幣を対応する金種の紙幣カセットに集積し、出金取引においては紙幣カセットから紙幣を分離して接客口に搬送する。
【０００４】
ところで、自動取引装置では、紙幣カセットに集積されている紙幣の枚数を確定するための精査処理が行われる。例えば、特許文献１には、全ての紙幣カセットに集積されている紙幣を補充回収カセットに移動させ、この移動の際に紙幣を計数する技術が開示されている。
【先行技術文献】
【特許文献】
【０００５】
【特許文献１】特開２００６−８５２４２号公報
【発明の概要】
【発明が解決しようとする課題】
【０００６】
しかし、紙幣カセットに集積されている紙幣の枚数が補充回収カセットの容量を上回る場合、紙幣カセットに集積されている紙幣を補充回収カセットに移動させることにより精査処理を行うことは困難である。
【０００７】
そこで、本発明は、上記問題に鑑みてなされたものであり、本発明の目的とするところは、紙幣カセットに集積されている紙幣の枚数によらず精査処理を行うことが可能な、新規かつ改良された紙幣処理装置、プログラムおよび紙幣処理方法を提供することにある。
【課題を解決するための手段】
【０００８】
上記課題を解決するために、本発明のある観点によれば、紙幣を集積する１または２以上の紙幣集積部と、前記紙幣集積部から回収された紙幣、または前記紙幣集積部に補充するための紙幣を集積する補充回収部と、紙幣を一時保留する一時保留部と、前記１または２以上の紙幣集積部に集積されている紙幣の精査処理を制御する制御部と、を備え、前記制御部は、前記紙幣集積部における紙幣の集積状態に応じ、前記紙幣集積部に集積されている紙幣を前記補充回収部および前記一時保留部に分配して移動させ、前記補充回収部および前記一時保留部から前記紙幣集積部に紙幣を戻す精査処理を制御する、紙幣処理装置が提供される。
【０００９】
前記制御部は、前記紙幣集積部における紙幣の集積が満状態であることが検出されている場合、前記一時保留部を用いる前記精査処理を制御してもよい。
【００１０】
前記一時保留部および前記補充回収部に集積可能な紙幣の最大枚数の合計は、前記１または２以上の紙幣集積部のうちで最も容量の大きい紙幣集積部に集積可能な紙幣の最大枚数以上であってもよい。
【００１１】
前記一時保留部を用いる前記精査処理は、前記紙幣集積部に集積されている紙幣の前記補充回収部および前記一時保留部への移動に先立ち、当該紙幣集積部に集積されている紙幣の一部を他の紙幣集積部に移動させる処理を含んでもよい。
【００１２】
前記制御部は、前記他の紙幣集積部として、精査処理が完了済みの紙幣集積部を優先して選択してもよい。
【００１３】
前記制御部は、前記１または２以上の紙幣集積部に集積されている紙幣、および前記補充回収部に集積されている紙幣の合計枚数に応じ、前記精査処理を前記１または２以上の紙幣集積部に集積されている紙幣について一括または個別で制御してもよい。
【００１４】
前記制御部は、前記紙幣の合計枚数が閾値を上回る場合には前記精査処理を個別で制御し、前記紙幣の合計枚数が閾値を下回る場合には前記精査処理を一括して制御してもよい。
【００１５】
前記閾値は、前記補充回収部に集積可能な紙幣の最大枚数よりも小さくてもよい。
【００１６】
前記紙幣集積部と前記補充回収部との間の紙幣の移動経路には紙幣を鑑別する鑑別部を備え、前記制御部は、前記鑑別部により鑑別された紙幣の枚数を計数することにより前記精査処理を行なってもよい。
【００１７】
また、上記課題を解決するために、本発明の別の観点によれば、紙幣を集積する１または２以上の紙幣集積部と、前記紙幣集積部から回収された紙幣、または前記紙幣集積部に補充するための紙幣を集積する補充回収部と、紙幣を一時保留する一時保留部と、を備える紙幣処理装置を、前記１または２以上の紙幣集積部に集積されている紙幣の精査処理を制御する制御部であって、前記紙幣集積部における紙幣の集積状態に応じ、前記紙幣集積部に集積されている紙幣を前記補充回収部および前記一時保留部に分配して移動させ、前記補充回収部および前記一時保留部から前記紙幣集積部に紙幣を戻す精査処理を制御する制御部、として機能させるための、プログラムが提供される。
【００１８】
また、上記課題を解決するために、本発明の別の観点によれば、紙幣を集積する１または２以上の紙幣集積部と、前記紙幣集積部から回収された紙幣、または前記紙幣集積部に補充するための紙幣を集積する補充回収部と、紙幣を一時保留する一時保留部と、を備える紙幣処理装置により実行される紙幣処理方法であって、前記紙幣集積部における紙幣の集積状態に応じ、前記紙幣集積部に集積されている紙幣を前記補充回収部および前記一時保留部に分配して移動させ、前記補充回収部および前記一時保留部から前記紙幣集積部に紙幣を戻す精査処理を制御するステップを含む、紙幣処理方法が提供される。
【発明の効果】
【００１９】
以上説明したように本発明によれば、紙幣カセットに集積されている紙幣の枚数によらず精査処理を行うことが可能である。
【図面の簡単な説明】
【００２０】
【図１】本発明の実施形態である自動取引システムの構成を示した説明図である。
【図２】自動取引装置の構成を示した機能ブロック図である。
【図３】紙幣入出金部の内部構成を模式的に示した説明図である。
【図４】本実施形態による第１の動作例を示したシーケンス図である。
【図５】紙幣の集積状態の遷移を示した説明図である。
【図６】本実施形態による第２の動作例を示したシーケンス図である。
【図７】本実施形態による第２の動作例を示したシーケンス図である。
【図８】紙幣の集積状態の遷移を示した説明図である。
【図９】紙幣の集積状態の遷移を示した説明図である。
【図１０】本実施形態による第３の動作例を示したシーケンス図である。
【図１１】本実施形態による第３の動作例を示したシーケンス図である。
【図１２】紙幣の集積状態の遷移を示した説明図である。
【図１３】紙幣の集積状態の遷移を示した説明図である。
【発明を実施するための形態】
【００２１】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２３】
＜１．自動取引システムの概要＞
まず、図１を参照し、本発明の実施形態による自動取引システムの概要を説明する。
【００２４】
図１は、本発明の実施形態である自動取引システムの構成を示した説明図である。図１に示したように、自動取引システムは、複数の自動取引装置１０と、専用網１２と、ホストコンピュータ２０と、を含む。
【００２５】
自動取引装置（紙幣処理装置）１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。
【００２６】
また、自動取引装置１０は、表示操作部１４と、通帳挿入口１６と、カード挿入口１８と、を備える。表示操作部１４は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、図１においては表示部および顧客操作部の機能が自動取引装置１０において一体的に構成される例を示しているが、表示部および顧客操作部の機能は分離して構成されてもよい。
【００２７】
通帳挿入口１６は顧客の通帳の挿入および排出を行い、カード挿入口１８は顧客のキャッシュカードの挿入および排出を行う。また、接客口１９は、顧客による紙幣の入金口、および顧客への紙幣の出金口としての機能を有する。
【００２８】
専用網１２は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。ホストコンピュータ２０は、この専用網１２を介して自動取引装置１０と通信することができる。
【００２９】
ホストコンピュータ２０は、専用網１２を介して自動取引装置１０と通信することにより、各種取引を制御する。例えば、ホストコンピュータ２０は、自動取引装置１０を操作する顧客の認証を行ったり、自動取引装置１０において顧客により指示された入金や振込などの金銭取引（勘定の取引処理）を実行したりする。また、ホストコンピュータ２０は、口座番号、暗証番号、氏名、住所、年齢、生年月日、電話番号、職業、家族構成、年収、預金残高などの顧客情報（口座の元帳）を管理する。
【００３０】
本発明の実施形態は、上述した自動取引システムに含まれる自動取引装置１０に関し、特に、自動取引装置１０における紙幣の精査処理に関する。以下、自動取引装置１０の構成を説明した後に、本発明の具体的な動作例を順次詳細に説明する。
【００３１】
＜２．自動取引装置１０の構成＞
図２は、自動取引装置１０の構成を示した機能ブロック図である。図２に示したように、自動取引装置１０は、表示操作部１４、紙幣入出金部３０、カード処理部４２、硬貨入出金部４４、ジャーナル記録部４５、通帳処理部４６、明細票発行部４７、係員操作部４８、制御部５０およびメモリ６０を備える。
【００３２】
（表示操作部）
表示操作部１４は、図１を参照して説明したように、顧客による操作の誘導画面を表示する表示部および顧客操作を検出する顧客操作部として機能する。
【００３３】
（紙幣入出金部）
紙幣入出金部３０は、紙幣の入金処理、出金処理および精査処理などを行う。入金処理においては、紙幣入出金部３０は、顧客により接客口１９に載置された紙幣を鑑別し、正常な紙幣であれば紙幣カセットに集積する。出金処理においては、紙幣入出金部３０は、顧客により要求された金額に相当する枚数の紙幣を紙幣カセットから繰り出し、繰り出しした紙幣を接客口１９に集積する。精査処理は、紙幣カセットの紙幣枚数を確定するための処理であり、この精査処理については詳細に後述する。
【００３４】
（カード処理部）
カード処理部４２は、カード挿入口１８から挿入された顧客のキャッシュカードに記録された磁気情報を読み取る。磁気情報は、例えば、口座番号および口座種別などを示す情報を含んでもよい。
【００３５】
（硬貨入出金部）
硬貨入出金部４４は、硬貨の搬送路、硬貨カセットおよび硬貨の正当性を鑑別する硬貨鑑別部などを有する。入金時に接客口１９に投入された硬貨は、搬送路を介して硬貨鑑別部へ搬送され、硬貨鑑別部により正常な鑑別結果が得られた場合、金種に応じた硬貨カセットに搬送される。また、出金時には、硬貨カセットから硬貨が繰り出され、硬貨鑑別部が硬貨カセットから繰り出された硬貨を鑑別し、正常な鑑別結果が得られた場合に接客口１９に硬貨が搬送される。なお、上記では、硬貨と紙幣が同一の接客口１９を介して入出金される例を説明したが、本実施形態はかかる例に限定されず、硬貨と紙幣は異なる接客口を介して入出金されてもよい。
【００３６】
（ジャーナル記録部）
ジャーナル記録部４５は、自動取引装置１０において行われた処理に関するジャーナルを記録する。
【００３７】
（通帳処理部）
通帳処理部４６は、磁気ヘッド、ページ送り部および印字部などを含み、通帳挿入口１６から挿入された通帳に記帳を行う。例えば、通帳挿入口１６から通帳が挿入されると、通帳のカバー紙に形成された磁気ストライプから磁気ヘッドが磁気情報を読み出す。また、ページ送り部が通帳の記入ページを開き、印字部が通帳の記入ページに取引情報を印字する。
【００３８】
（明細票発行部）
明細票発行部４７は、レシートロール、サーマルヘッドおよびカッタなどを含み、取引の明細情報が印字された明細票を作成する。例えば、顧客の指定した取引が実行されると、レシートロールから分離された連続紙にサーマルヘッドが取引の明細情報を印字し、明細情報が印字された領域をカッタが連続紙から切り離すことにより、明細票が作成される。
【００３９】
（係員操作部）
係員操作部４８は、金融機関の係員が自動取引装置１０を操作するための構成である。この係員操作部４８は、例えば自動取引装置１０のメンテナンスなどの用途で用いられる。
【００４０】
（制御部）
制御部５０は、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）などのハードウェアとソフトウェアが協働することにより実現される機能である。例えば、制御部５０は、図２に示したように表示操作部上位プログラム５１、カード処理部上位プログラム５２、紙幣入出金部上位プログラム５３、硬貨入出金部上位プログラム５４、ジャーナル記録部上位プログラム５５、通帳処理部上位プログラム５６、明細票発行部上位プログラム５７、係員操作部上位プログラム５８で規定される機能を実現する。
【００４１】
なお、表示操作部上位プログラム５１は表示操作部１４を制御するプログラムであり、カード処理部上位プログラム５２はカード処理部４２を制御するプログラムであり、紙幣入出金部上位プログラム５３は紙幣入出金部３０を制御するプログラムであり、硬貨入出金部上位プログラム５４は硬貨入出金部を制御するプログラムであり、ジャーナル記録部上位プログラム５５はジャーナル記録部４５を制御するプログラムであり、通帳処理部上位プログラム５６は通帳処理部４６を制御するプログラムであり、明細票発行部上位プログラム５７は明細票発行部４７を制御するプログラムであり、係員操作部上位プログラム５８は係員操作部４８を制御するプログラムである。
【００４２】
（メモリ）
メモリ６０は、自動取引装置１０の動作のために用いられる各種情報を記憶する記憶媒体である。例えば、メモリ６０は、制御部５０が実行するための上述したプログラムを記憶する。また、メモリ６０は、紙幣入出金部３０内の各カセットに集積されている紙幣枚数などを記憶してもよい。なお、メモリ６０は、不揮発性メモリ、磁気ディスク、光ディスク、およびＭＯ（Ｍａｇｎｅｔｏ  Ｏｐｔｉｃａｌ）ディスクなどの記憶媒体を含んでもよい。不揮発性メモリとしては、例えば、フラッシュメモリ、ＳＤカード、マイクロＳＤカード、ＵＳＢメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）およびＢＤ（Ｂｌｕ−Ｒａｙ  Ｄｉｓｃ（登録商標））などがあげられる。
【００４３】
＜３．紙幣入出金部の構成および基本動作＞
（紙幣入出金部の構成）
以上、図２を参照して自動取引装置１０の全体構成を説明した。続いて、図３を参照し、自動取引装置１０を構成する紙幣入出金部３０の内部構成を説明する。
【００４４】
図３は、紙幣入出金部３０の内部構成を模式的に示した説明図である。図３に示したように、紙幣入出金部３０は、接客口１９を含む接客部３１、鑑別部３２、搬送路３３、一時保留部３４、リジェクトカセット３６ａおよび３６ｂ、補充回収カセット３７、補充リジェクト部３７ａ、および紙幣カセットＡ〜Ｄを備える。
【００４５】
紙幣カセットＡ〜Ｄは、顧客の入金した紙幣、出金するための紙幣、および補充回収カセット３７から補充された紙幣などを集積する紙幣集積部である。紙幣カセットＡ〜Ｄは、同一金種のための複数の紙幣カセットを含んでもよい。例えば、紙幣カセットＡ、ＢおよびＤが一万円札用の紙幣カセットであり、紙幣カセットＣが千円札用の紙幣カセットであってもよい。なお、紙幣カセットＡ〜Ｄは、紙幣入出金部３０に対して着脱可能な構造になっており、個別に交換することで紙幣カセットＡ〜Ｄに紙幣を装填することも可能である。
【００４６】
接客部３１は、入金処理時に顧客により入金された紙幣を分離したり、出金処理時に顧客に出金する紙幣を集積したりするための構成である。
【００４７】
鑑別部３２は、顧客の入金した紙幣、または顧客に出金する紙幣の鑑別を行う。具体的には、鑑別部３２は、搬送路３３を通って搬送された紙幣の金種、真偽、正損および走行状態などを鑑別する。
【００４８】
搬送路３３は、紙幣を搬送するための構成である。搬送路３３は、制御部５０による制御に従ってＤＣサーボモータまたはパルスモータなどが回転することにより、紙幣を目的の搬送先に搬送することが可能である。
【００４９】
一時保留部３４は、入金処理時に接客部３１で分離されて鑑別部３２により正常と鑑別された紙幣を一時的に集積する。一時保留部３４に集積された紙幣は、入金した紙幣の口座計上などが確定したなど、取引が成立した場合に鑑別部３２を経て紙幣カセットＡ〜Ｄなどに搬送される。また、本実施形態においては、紙幣の精査処理に際しても一時保留部３４が用いられる場合がある。
【００５０】
リジェクトカセット３６ａおよび３６ｂは、出金処理時、入金処理時または精査処理時などに鑑別部３２によって金種不明と鑑別された支払不可の紙幣を集積する。なお、紙幣入出金部３０は、リジェクトカセット３６ａおよび３６ｂを区別せずに一つのリジェクト部として用いてもよいし、処理に応じてリジェクトカセット３６ａおよび３６ｂを使い分けてもよい。
【００５１】
補充回収カセット３７は、紙幣カセットＡ〜Ｄに補充する紙幣を収納すると共に、紙幣カセットＡ〜Ｄから回収した紙幣を収納する補充回収部である。また、補充回収カセット３７は、補充動作時のリジェクト紙幣を収納する補充リジェクト部３７ａを備え、紙幣入出金部３０に対して着脱可能な構造になっている。さらに、詳細については後述するが、本実施形態においては紙幣の精査処理に際しても補充回収カセット３７が用いられる。
【００５２】
（各カセットの容量の関係）
ここで、紙幣カセットＡ〜Ｄ、補充回収カセット３７および一時保留部３４に集積可能な紙幣の最大枚数の関係について説明する。まず、紙幣カセットＡ〜Ｄの各々に集積可能な紙幣の最大枚数は、同一であってもよいし、異なってもよい。
【００５３】
また、詳細については後述するが、本実施形態による精査処理においては、各紙幣カセットに集積されている紙幣を補充回収カセット３７および一時保留部３４に分配して移動させる場合がある。このため、紙幣カセットに最大枚数の紙幣が集積されている場合でも補充回収カセット３７および一時保留部３４に当該紙幣を集積できるよう、一時保留部３４および補充回収カセット３７に集積可能な紙幣の最大枚数の合計は、紙幣カセットＡ〜Ｄのうちで最も容量の大きい紙幣カセットに集積可能な紙幣の最大枚数以上に設計される。
【００５４】
（紙幣入出金部の基本動作）
上述した構成を有する紙幣入出金部３０による基本動作として、入金処理および出金処理を説明する。
【００５５】
入金処理においては、まず、接客部３１から紙幣が１枚ずつ分離され、分離された紙幣は搬送路３３を経て鑑別部３２に搬送される。そして、鑑別部３２による鑑別結果が正常であった紙幣は搬送路３３を経て一時保留部３４に集積される。一方、鑑別部３２による鑑別結果が正常であった紙幣は搬送路３３を経て接客部３１に集積される。
【００５６】
その後、顧客により入金金額の確認操作が行われると、一時保留部３４から紙幣が１枚ずつ分離され、分離された紙幣は搬送路３３を経て鑑別部３２に搬送される。そして、鑑別部３２による鑑別結果が正常であった紙幣は、搬送路３３を経て金種に対応する紙幣カセットＡ〜Ｄに集積される。一方、一万円札および千円札の汚損券、折れ紙幣、二千円札、五千円札、スキュー紙幣などの走行異常紙幣のように、鑑別部３２による鑑別結果が異常であった紙幣は、搬送路３３を経てリジェクトカセット３６に集積される。
【００５７】
出金処理においては、まず、顧客により指定された金額に応じて紙幣カセットＡ〜Ｄから紙幣が１枚ずつ分離され、分離された紙幣は搬送路３３を経て鑑別部３２に搬送される。そして、鑑別部３２による鑑別結果が正常であった紙幣は搬送路３３を経て接客部３１に集積される。一方、鑑別部３２による鑑別結果が異常であった紙幣、すなわち、顧客に支払いできない紙幣は、搬送路３３を経てリジェクトカセット３６に集積される。
【００５８】
＜４．精査処理＞
以上、紙幣入出金部３０の構成および基本動作を説明した。上述した紙幣入出金部３０は、紙幣カセットＡ〜Ｄの紙幣枚数を確定するための精査処理を行う。本実施形態による紙幣入出金部３０は、この精査処理を、紙幣カセットＡ〜Ｄにおける紙幣の集積状態に応じた態様で実行することが可能である。以下、紙幣カセットＡ〜Ｄにおける紙幣の集積状態に応じて異なる第１の動作例〜第３の動作例を順次詳細に説明する。
【００５９】
なお、以下では、ホストコンピュータ２０からの指示に従って自動取引装置１０が精査処理を開始する例を説明するが、自動取引装置１０は、制御部５０からの指示に従って精査処理を開始してもよい。また、以下では、制御部５０の紙幣入出金部上位プログラム５３が紙幣入出金部３０に補充や回収などの紙幣移動を指示する例を説明するが、紙幣入出金部上位プログラム５３の機能を紙幣入出金部３０内の制御部に実装することも可能である。また、以下では、紙幣カセットＡ、ＢおよびＤが万券用（一万円札用）の紙幣カセットであり、紙幣カセットＣが千券用（千円札用）の紙幣カセットであるものとする。
【００６０】
（第１の動作例）
まず、図４を参照し、紙幣カセットＡ〜Ｄに集積されている紙幣の精査処理を一括して行う第１の動作例を説明する。なお、精査処理の開始前に、図５の状態１−１に示す枚数の紙幣が紙幣入出金部３０の各カセットに集積されていたものとする。
【００６１】
図４は、本実施形態による第１の動作例を示したシーケンス図である。まず、図４に示したようにホストコンピュータ２０が精査開始のトリガとなり、紙幣カセットＡ〜Ｄに集積されている紙幣の全回収、すなわち補充回収カセット３７への回収を指示する（Ｓ２０２、Ｓ２０３）。
【００６２】
紙幣入出金部上位プログラム５３は、上記の全回収の指示を受け、紙幣カセットＡ〜Ｄに集積されている全ての紙幣を一括して補充回収カセット３７に回収することが可能であるか否か、すなわち紙幣カセットＡ〜Ｄについて一括して精査処理を制御できるか否かを判断する（Ｓ２０４）。
【００６３】
具体的には、紙幣入出金部上位プログラム５３は、紙幣カセットＡ〜Ｄおよび補充回収カセット３７に集積されている紙幣の合計枚数と、補充回収カセット３７に集積可能な紙幣の最大枚数以下の閾値とを比較し、紙幣の合計枚数が閾値以下である場合には、一括回収が可能であると判断する。
【００６４】
例えば、補充回収カセット３７に理論上は２３００枚の紙幣を集積可能であり、閾値が１５００枚である場合、紙幣入出金部上位プログラム５３は、紙幣カセットＡ〜Ｄおよび補充回収カセット３７に集積されている紙幣の合計枚数と１５００枚を比較する。ここで、図５の状態１−１に示す枚数の紙幣が紙幣入出金部３０の各カセットに集積されているとメモリ６０に記録されていると仮定すると、合計枚数は１５００枚であり、閾値以下である。このため、紙幣入出金部上位プログラム５３は、一括回収が可能であると判断する。ただし、メモリ６０に記録されている紙幣の枚数には、精査処理前であるので、多少の誤差は存在し得る。
【００６５】
なお、紙幣が分離、繰り出し、および搬送されて補充回収カセット３７に集積されると、紙幣の撓みやヨレに起因して、紙幣の集積幅（厚み）が増加することが多い。このため、実際には補充回収カセット３７に理論上の最大枚数が集積される前にセンサにより満状態が検出され、補充回収カセット３７に理論上の最大枚数を集積できないことがある。しかし、一括回収の途中で満状態が検出された場合、例えば補充回収カセット３７に集積された紙幣を紙幣カセットに戻して精査処理を改めて行う必要があり、処理負荷が増加してしまう。このような事情に着目し、上述したように、補充回収カセット３７に集積可能な紙幣の最大枚数未満、または最大枚数を下回る枚数を閾値として用いる構成に至った。かかる構成により、一括回収の途中で満状態が検出されることを防止し、処理負荷を抑制することが可能である。
【００６６】
そして、紙幣入出金部上位プログラム５３は、図４に示したように一括回収が可能であると判断すると、紙幣カセットＡ〜Ｄに集積されている紙幣の一括回収を紙幣入出金部３０に指示する（Ｓ２０５）。
【００６７】
紙幣入出金部３０は、一括回収の指示を受け、紙幣カセットＡ〜Ｄに集積されている全ての紙幣を補充回収カセット３７に搬送、集積し（Ｓ２０６）、正常終了を紙幣入出金部上位プログラム５３に通知する（Ｓ２０８）。これにより、図５の状態１−２に示したように、紙幣カセットＡ〜Ｄには紙幣が無くなり、補充回収カセット３７に１５００枚の紙幣が集積された状態となる。これにより、紙幣カセットＡ〜Ｄの有高が確定する。
【００６８】
その後、ホストコンピュータ２０は、紙幣入出金部上位プログラム５３から正常終了の通知を受けると（Ｓ２０９）、回収完了を認識し、戻し補充、すなわち、補充回収カセット３７に集積された紙幣の紙幣カセットへの補充を指示する（Ｓ２１０、Ｓ２１１）。そして、紙幣入出金部上位プログラム５３は、ホストコンピュータ２０からの戻し補充の指示を受けると、紙幣入出金部３０に戻し補充を指示する（Ｓ２１２）。
【００６９】
紙幣入出金部３０は、戻し補充の指示を受け、補充回収カセット３７に集積された紙幣を、紙幣の金種に対応する紙幣カセットに補充し（Ｓ２１３）、正常終了を紙幣入出金部上位プログラム５３に通知する（Ｓ２１５）。これにより、図５の状態１−３に示したように、補充回収カセット３７には紙幣が無くなり、紙幣カセットＢに万券が１３５０枚、紙幣カセットＣに千券が１５０枚集積された状態となる。
【００７０】
ここで、補充回収カセット３７から紙幣カセットへの移動経路には鑑別部３２が存在し、鑑別部３２で正常と鑑別されて紙幣カセットに搬送された紙幣の枚数を紙幣入出金部３０の制御部、または紙幣入出金部上位プログラム５３が計数することにより、戻し補充後の紙幣カセットＡ〜Ｄの有高が記録される。
【００７１】
その後、ホストコンピュータ２０は、紙幣入出金部上位プログラム５３から正常終了の通知を受けると（Ｓ２１６）、例えば紙幣入出金部３０における紙幣の集積状態を示す精査結果を印字し、精査処理を完了する（Ｓ２１７）。
【００７２】
以上説明したように、第１の動作例によれば、紙幣入出金部３０内の紙幣枚数が閾値以下である場合には紙幣カセットＡ〜Ｄの紙幣を一括回収できるので、精査処理の効率が向上する。
【００７３】
（第２の動作例）
続いて、図６および図７を参照し、紙幣カセットＡ〜Ｄについて個別に精査処理を行う第２の動作例を説明する。なお、精査処理の開始前に、図８の状態２−１に示す枚数の紙幣が紙幣入出金部３０の各カセットに集積されていたものとする。
【００７４】
図６および図７は、本実施形態による第２の動作例を示したシーケンス図である。まず、図６に示したようにホストコンピュータ２０が精査開始のトリガとなり、紙幣カセットＡ〜Ｄに集積されている紙幣の全回収、すなわち補充回収カセット３７への回収を指示する（Ｓ３０２、Ｓ３０３）。
【００７５】
紙幣入出金部上位プログラム５３は、上記の全回収の指示を受け、紙幣カセットＡ〜Ｄに集積されている全ての紙幣を一括して補充回収カセット３７に回収することが可能であるか否か、すなわち紙幣カセットＡ〜Ｄについて一括して精査処理を制御できるか否かを判断する（Ｓ３０４）。ここで、図８の状態２−１に示す枚数の紙幣が紙幣入出金部３０の各カセットに集積されているとメモリ６０に記録されており、閾値が１５００枚であると仮定すると、合計枚数は２５１０枚であり、閾値を上回る。このため、紙幣入出金部上位プログラム５３は、一括回収をせずに、個別回収を行うと判断する。
【００７６】
この判断に基づき、紙幣入出金部上位プログラム５３は、補充回収カセット３７に集積されている紙幣の紙幣カセットへの補充を紙幣入出金部３０に指示する（Ｓ３０５）。
【００７７】
紙幣入出金部３０は、補充の指示を受け、補充回収カセット３７に集積されている紙幣を紙幣カセットＡに補充し（Ｓ３０６）、正常終了を紙幣入出金部上位プログラム５３に通知する（Ｓ３０８）。これにより、図８の状態２−２に示したように、補充回収カセット３７には紙幣が無くなり、紙幣カセットＡの紙幣枚数が１７００枚となる。
【００７８】
その後、ホストコンピュータ２０は、紙幣入出金部上位プログラム５３から個別回収を行う必要がある旨の通知を受けると（Ｓ３０９）、個別回収を行う必要があることを認識し、千券回収を指示する（Ｓ３１０、Ｓ３１１）。紙幣入出金部上位プログラム５３は、千券回収の指示を受け、千券用の紙幣カセットＣからの紙幣回収を紙幣入出金部３０に指示する（Ｓ３１２）。
【００７９】
紙幣入出金部３０は、紙幣カセットＣからの紙幣回収の指示を受け、紙幣カセットＣに集積されている紙幣を補充回収カセット３７に搬送、集積し（Ｓ３１３）、正常終了を紙幣入出金部上位プログラム５３に通知する（Ｓ３１５）。これにより、図８の状態２−３に示したように、紙幣カセットＣには紙幣が無くなり、補充回収カセット３７に１００枚の千券が集積された状態となる。これにより紙幣カセットＣの有高が確定する。
【００８０】
その後、ホストコンピュータ２０は、紙幣入出金部上位プログラム５３から正常終了の通知を受けると（Ｓ３１６）、万券回収を指示する（Ｓ３１７、Ｓ３１８）。紙幣入出金部上位プログラム５３は、万券回収の指示を受けると、補充回収カセット３７に１００枚の千券があることから、万券回収に先立って千券の紙幣カセットＣへの補充を紙幣入出金部３０に指示する（Ｓ３１９）。
【００８１】
紙幣入出金部３０は、千券の紙幣カセットＣへの補充の指示を受け、補充回収カセット３７に集積されている千券を紙幣カセットＣに補充し（Ｓ３２０）、正常終了を紙幣入出金部上位プログラム５３に通知する（Ｓ３２２）。これにより、図８の状態２−４に示したように、補充回収カセット３７には紙幣が無くなり、紙幣カセットＣの紙幣枚数が１００枚となる。なお、紙幣カセットＣへの紙幣移動に際して行われる紙幣枚数の計数により、紙幣カセットＣの補充後の有高が記録される。
【００８２】
紙幣入出金部上位プログラム５３は、紙幣カセットＣへの補充の正常終了の通知を受けると、図７に示したように、万券の回収を行うために、万券用の紙幣カセットＤからの紙幣回収を紙幣入出金部３０に指示する（Ｓ４０２）。
【００８３】
紙幣入出金部３０は、紙幣カセットＤからの紙幣回収の指示を受け、紙幣カセットＤに集積されている紙幣を補充回収カセット３７に搬送、集積し（Ｓ４０３）、正常終了を紙幣入出金部上位プログラム５３に通知する（Ｓ４０５）。これにより、図９の状態２−５に示したように、紙幣カセットＤには紙幣が無くなり、補充回収カセット３７に２１０枚の万券が集積された状態となる。これにより紙幣カセットＤの有高が確定する。
【００８４】
紙幣入出金部上位プログラム５３は、紙幣入出金部３０から正常終了の通知を受けると、紙幣カセットＤから補充回収カセット３７に回収された万券を紙幣カセットＤに戻すために、補充回収カセット３７に集積された万券の紙幣カセットＤへの補充を指示する（Ｓ４０６）。
【００８５】
紙幣入出金部３０は、補充の指示を受け、補充回収カセット３７に集積された万券を紙幣カセットＤに補充し（Ｓ４０７）、正常終了を紙幣入出金部上位プログラム５３に通知する（Ｓ４０９）。これにより、図９の状態２−６に示したように、補充回収カセット３７には紙幣が無くなり、紙幣カセットＤの万券が２１０枚となる。なお、紙幣カセットＤへの紙幣移動に際して行われる紙幣枚数の計数により、紙幣カセットＤの補充後の有高が記録される。
【００８６】
紙幣入出金部上位プログラム５３は、紙幣カセットＤへの補充の正常終了の通知を受けると、次の万券用の紙幣カセットＢから紙幣を回収するために、紙幣カセットＢからの紙幣回収を紙幣入出金部３０に指示する（Ｓ４１０）。
【００８７】
紙幣入出金部３０は、紙幣カセットＢからの紙幣回収の指示を受け、紙幣カセットＢに集積されている紙幣を補充回収カセット３７に搬送、集積し（Ｓ４１１）、正常終了を紙幣入出金部上位プログラム５３に通知する（Ｓ４１３）。これにより、図９の状態２−７に示したように、紙幣カセットＢには紙幣が無くなり、補充回収カセット３７に５００枚の万券が集積された状態となる。これにより紙幣カセットＢの有高が確定する。
【００８８】
紙幣入出金部上位プログラム５３は、紙幣入出金部３０から正常終了の通知を受けると、紙幣カセットＢから補充回収カセット３７に回収された万券を紙幣カセットＢに戻すために、補充回収カセット３７に集積された万券の紙幣カセットＢへの補充を指示する（Ｓ４１４）。
【００８９】
紙幣入出金部３０は、補充の指示を受け、補充回収カセット３７に集積された万券を紙幣カセットＢに補充し（Ｓ４１５）、正常終了を紙幣入出金部上位プログラム５３に通知する（Ｓ４１７）。これにより、図９の状態２−８に示したように、補充回収カセット３７には紙幣が無くなり、紙幣カセットＢの万券が５００枚となる。なお、紙幣カセットＢへの紙幣移動に際して行われる紙幣枚数の計数により、紙幣カセットＢの補充後の有高が記録される。
【００９０】
紙幣入出金部上位プログラム５３は、紙幣カセットＢへの補充の正常終了の通知を受けると、さらに次の万券用の紙幣カセットＡから紙幣を回収するために、紙幣カセットＡからの紙幣回収を紙幣入出金部３０に指示する（Ｓ４１８）。
【００９１】
紙幣入出金部３０は、紙幣カセットＡからの紙幣回収の指示を受け、紙幣カセットＡに集積されている紙幣を補充回収カセット３７に搬送、集積し（Ｓ４１９）、正常終了を紙幣入出金部上位プログラム５３に通知する（Ｓ４２１）。これにより、図９の状態２−９に示したように、紙幣カセットＡには紙幣が無くなり、補充回収カセット３７に１７００枚の万券が集積された状態となる。これにより紙幣カセットＡの有高が確定する。
【００９２】
その後、ホストコンピュータ２０は、紙幣入出金部上位プログラム５３から正常終了の通知を受けると（Ｓ４２２）、必要に応じて補充処理を行い、精査結果を印字し、精査処理を完了する（Ｓ４２３）。
【００９３】
以上説明したように、第２の動作例によれば、紙幣カセットＡ〜Ｄの紙幣を一括して回収できない場合にも、紙幣カセットごとに紙幣を回収および補充することで、紙幣入出金部３０内の精査処理を行うことが可能である。
【００９４】
（第３の動作例）
次に、図１０および図１１を参照し、本実施形態による自動取引装置１０の第３の動作例を説明する。第３の動作例は、第２の動作例と同様に紙幣カセットＡ〜Ｄについて個別に精査処理を行う動作であるが、一部の紙幣カセットで満状態が検出されている場合に特徴的な処理を行う点で第２の動作例と異なる。以下では、第２の動作例として説明した千券回収および、ホストコンピュータ２０による万券回収の指示が終了した時点以降の処理を説明する。また、この時点で、図１２の状態３−１に示す枚数の紙幣が紙幣入出金部３０の各カセットに集積されていたものとする。
【００９５】
図１０および図１１は、本実施形態による第３の動作例を示したシーケンス図である。図１０に示したように、千券の個別回収が終了し、万券の個別回収処理を開始する際、紙幣カセットＤで満状態（フル）が検出されているので、紙幣入出金部上位プログラム５３は、紙幣カセットＤから紙幣カセットＢへの紙幣移動を指示する（Ｓ５０２）。ここで、紙幣カセットの満状態は、紙幣カセットの上部に設けられる光センサの経路を紙幣が遮る状態であってもよいし、紙幣カセットに所定枚数以上の紙幣が集積されている状態であってもよい。
【００９６】
紙幣入出金部３０は、紙幣移動の指示を受け、紙幣カセットＤの一部の紙幣（例えば、１００枚）を一時保留部３４に搬送し、一時保留部３４に搬送された紙幣を紙幣カセットＢに搬送し（Ｓ５０３）、正常終了を紙幣入出金部上位プログラム５３に通知する（Ｓ５０６）。紙幣が一時保留部３４に搬送された時点では、図１２の状態３−２に示したように、一時保留部３４の紙幣枚数が１００枚となり、紙幣カセットＤの紙幣枚数が２５１３枚となる。そして、紙幣が紙幣カセットＢに搬送されると、図１２の状態３−３に示すように、一時保留部３４には紙幣が無くなり、紙幣カセットＢの紙幣枚数が５００枚から６００枚に増加する。
【００９７】
紙幣入出金部上位プログラム５３は、紙幣移動の正常終了の通知を受けると、図１０に示したように、万券の回収を行うために、万券用の紙幣カセットＤからの紙幣回収を紙幣入出金部３０に指示する（Ｓ５０７）。
【００９８】
紙幣入出金部３０は、紙幣カセットＤからの紙幣回収の指示を受け、紙幣カセットＤに集積されている紙幣を補充回収カセット３７に搬送、集積し（Ｓ５０８）、正常終了を紙幣入出金部上位プログラム５３に通知する（Ｓ５１０）。これにより、図１２の状態３−４に示したように、紙幣カセットＤの紙幣枚数が２９４枚となり、補充回収カセット３７の紙幣枚数が２２１９枚となる。なお、紙幣カセットＤの紙幣を全て補充回収カセット３７に移動する前に補充回収カセット３７で満状態が検知された場合、図１２の状態３−４に示したように、紙幣カセットＤに一部の紙幣が残った状態となる。
【００９９】
紙幣入出金部上位プログラム５３は、紙幣入出金部３０から正常終了の通知を受けると、紙幣カセットＤに紙幣が残っているので、紙幣カセットＤから一時保留部３４への紙幣回収を紙幣入出金部３０に指示する（Ｓ５１１）。
【０１００】
紙幣入出金部３０は、一時保留部３４への紙幣回収の指示を受け、紙幣カセットＤに残っている紙幣を一時保留部３４に搬送、集積し（Ｓ５１２）、正常終了を紙幣入出金部上位プログラム５３に通知する（Ｓ５１４）。これにより、図１２の状態３−５に示したように、紙幣カセットＤには紙幣が無くなり、一時保留部３４の紙幣枚数が２９４枚となる。これにより紙幣カセットＤの有高が確定する。ここで、「３．紙幣入出金部の構成および基本動作」において説明したように、一時保留部３４および補充回収カセット３７に集積可能な紙幣の最大枚数の合計は、紙幣カセットＡ〜Ｄのうちで最も容量の大きい紙幣カセットに集積可能な紙幣の最大枚数以上に設計される。このため、紙幣カセットにおける紙幣の集積状態が満状態であっても、当該紙幣カセットに集積されている紙幣を補充回収カセット３７および一時保留部３４に分配して集積することが可能である。
【０１０１】
紙幣入出金部上位プログラム５３は、紙幣入出金部３０から正常終了の通知を受けると、一時保留部３４から紙幣カセットＤに紙幣を戻すため、一時保留部３４に集積された紙幣の紙幣カセットＤへの補充を紙幣入出金部３０に指示する（Ｓ５１５）。
【０１０２】
紙幣入出金部３０は、補充の指示を受け、一時保留部３４に集積された紙幣を紙幣カセットＤに補充し（Ｓ５１６）、正常終了を紙幣入出金部上位プログラム５３に通知する（Ｓ５１８）。これにより、図１２の状態３−６に示したように、一時保留部３４には紙幣が無くなり、紙幣カセットＤの紙幣枚数が２９４枚となる。
【０１０３】
紙幣入出金部上位プログラム５３は、紙幣入出金部３０から正常終了の通知を受けると、補充回収カセット３７から紙幣カセットＤに紙幣を戻すために、図１１に示したように補充回収カセット３７に集積された紙幣の紙幣カセットＤへの補充を指示する（Ｓ６０２）。
【０１０４】
紙幣入出金部３０は、補充の指示を受け、補充回収カセット３７に集積された紙幣を紙幣カセットＤに補充し（Ｓ６０３）、正常終了を紙幣入出金部上位プログラム５３に通知する（Ｓ６０４）。これにより、図１３の状態３−７に示したように、補充回収カセット３７には紙幣が無くなり、紙幣カセットＤの紙幣枚数が２５１３枚となる。なお、補充回収カセット３７および一時保留部３４から紙幣カセットＤへの紙幣移動に際して行われる紙幣枚数の計数により、紙幣カセットＤの補充後の有高が記録される。
【０１０５】
紙幣入出金部上位プログラム５３は、紙幣カセットＤへの補充の正常終了の通知を受けると、次の万券用の紙幣カセットＢから紙幣を回収するために、紙幣カセットＢからの紙幣回収を紙幣入出金部３０に指示する（Ｓ６０６）。
【０１０６】
紙幣入出金部３０は、紙幣カセットＢからの紙幣回収の指示を受け、紙幣カセットＢに集積されている紙幣を補充回収カセット３７に搬送、集積し（Ｓ６０７）、正常終了を紙幣入出金部上位プログラム５３に通知する（Ｓ６０９）。これにより、図１３の状態３−８に示したように、紙幣カセットＢには紙幣が無くなり、補充回収カセット３７に６００枚の万券が集積された状態となる。これにより紙幣カセットＢの有高が確定する。
【０１０７】
紙幣入出金部上位プログラム５３は、紙幣入出金部３０から正常終了の通知を受けると、紙幣カセットＢから補充回収カセット３７に回収された万券を紙幣カセットＢに戻すために、補充回収カセット３７に集積された万券の紙幣カセットＢへの補充を指示する（Ｓ６１０）。
【０１０８】
紙幣入出金部３０は、補充の指示を受け、補充回収カセット３７に集積された万券を紙幣カセットＢに補充し（Ｓ６１１）、正常終了を紙幣入出金部上位プログラム５３に通知する（Ｓ６１３）。これにより、図１３の状態３−９に示したように、補充回収カセット３７には紙幣が無くなり、紙幣カセットＢの万券が６００枚となる。なお、紙幣カセットＢへの紙幣移動に際して行われる紙幣枚数の計数により、紙幣カセットＢの補充後の有高が記録される。
【０１０９】
紙幣入出金部上位プログラム５３は、紙幣カセットＢへの補充の正常終了の通知を受けると、さらに次の万券用の紙幣カセットＡから紙幣を回収するために、紙幣カセットＡからの紙幣回収を紙幣入出金部３０に指示する（Ｓ６１４）。
【０１１０】
紙幣入出金部３０は、紙幣カセットＡからの紙幣回収の指示を受け、紙幣カセットＡに集積されている紙幣を補充回収カセット３７に搬送、集積し（Ｓ６１５）、正常終了を紙幣入出金部上位プログラム５３に通知する（Ｓ６１７）。これにより、図１３の状態３−１０に示したように、紙幣カセットＡには紙幣が無くなり、補充回収カセット３７に７００枚の万券が集積された状態となる。これにより紙幣カセットＡの有高が確定する。
【０１１１】
その後、ホストコンピュータ２０は、紙幣入出金部上位プログラム５３から正常終了の通知を受けると（Ｓ６１８）、必要に応じて補充処理を行い、精査結果を印字し、精査処理を完了する（Ｓ６１９）。
【０１１２】
以上説明したように、第３の動作例によれば、満状態の紙幣カセットがあり、当該紙幣カセットの容量が補充回収カセット３７の容量以上である場合であっても、紙幣を補充回収カセット３７および一時保留部３４に分配することにより、精査処理を行うことが可能である。
【０１１３】
（補足）
理論上は一時保留部３４および補充回収カセット３７に集積可能であっても、移動に伴う紙幣の状態の変化により、満状態の紙幣カセットに集積された紙幣を一時保留部３４および補充回収カセット３７に集積しきれない事象が起こり得る。また、一時保留部３４および補充回収カセット３７に集積できたとしても、紙幣カセットへ紙幣を戻す際に紙幣カセットに紙幣が入りきらない事象が起こり得る。
【０１１４】
このような事情から、満状態の紙幣カセットがある場合、紙幣入出金部３０は、図１０のＳ５０３を参照して説明したように、一時保留部３４などに紙幣を回収する前に一部の紙幣を他の紙幣カセットに移動させる。かかる構成により、上記のような事象の発生を防止することが可能である。一方、全ての紙幣カセットが満状態である場合には、移動先の紙幣カセットが存在しないので、移動動作は行われない。
【０１１５】
なお、紙幣入出金部上位プログラム５３または紙幣入出金部３０は、紙幣の移動先として、精査が終了し有高が確定している紙幣カセットを優先して選択してもよい。例えば、図１２に示した状態３−１において紙幣カセットＡの有高が確定しており、紙幣カセットＢの有高が未確定である場合、紙幣入出金部上位プログラム５３または紙幣入出金部３０は、紙幣カセットＤからの紙幣の移動先として紙幣カセットＡを選択してもよい。移動先の紙幣カセットの有高が確定していない場合には、当該紙幣カセットの精査処理において、既存の紙幣と移動された紙幣の双方の補充／回収が必要となるが、有高の確定している紙幣カセットを移動先として選択することにより、精査処理の総時間を短縮することが可能である。
【０１１６】
＜５．むすび＞
以上説明したように、本実施形態によれば、紙幣入出金部３０内の紙幣枚数が閾値以下である場合には紙幣カセットＡ〜Ｄの紙幣を一括回収できるので、精査処理の効率が向上する。また、本実施形態によれば、紙幣カセットＡ〜Ｄの紙幣を一括して回収できない場合にも、紙幣カセットごとに紙幣を回収および補充することで、紙幣入出金部３０内の精査処理を行うことが可能である。さらに、本実施形態によれば、満状態の紙幣カセットがあり、当該紙幣カセットの容量が補充回収カセット３７の容量以上である場合であっても、紙幣を補充回収カセット３７および一時保留部３４に分配することにより、精査処理を行うことが可能である。
【０１１７】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１８】
例えば、第１の動作例では紙幣の一括回収先として補充回収カセット３７を説明したが、本実施形態はかかる例に限定されない。変形例として、紙幣の一括回収先として、補充回収カセット３７に加えて一時保留部３４が用いられてもよい。この場合、紙幣入出金部上位プログラム５３は、紙幣入出金部３０内の紙幣の合計枚数と、補充回収カセット３７および一時保留部３４に集積可能な最大枚数の合計値以下の閾値とを比較し、紙幣の合計枚数が閾値以下である場合に一括回収が可能であると判断してもよい。
【０１１９】
また、本明細書の自動取引システムの処理における各ステップは、必ずしもシーケンス図として記載された順序に沿って時系列に処理する必要はない。例えば、自動取引システムの処理における各ステップは、シーケンス図として記載した順序と異なる順序で処理されても、並列的に処理されてもよい。
【０１２０】
また、自動取引装置１０に内蔵されるＣＰＵ、ＲＯＭおよびＲＡＭなどのハードウェアを、上述した自動取引装置１０の各構成と同等の機能を発揮させるためのコンピュータプログラムも作成可能である。また、該コンピュータプログラムを記憶させた記憶媒体も提供される。
【符号の説明】
【０１２１】
１０  自動取引装置
１２  専用網
１４  表示操作部
１６  通帳挿入口
１８  カード挿入口
１９  接客口
２０  ホストコンピュータ
３０  紙幣入出金部
３１  接客部
３２  鑑別部
３３  搬送路
３４  一時保留部
３６  リジェクトカセット
３６ａ  リジェクトカセット
３７  補充回収カセット
４２  カード処理部
４４  硬貨入出金部
４５  ジャーナル記録部
４６  通帳処理部
４７  明細票発行部
４８  係員操作部
５０  制御部
５１  表示操作部上位プログラム
５２  カード処理部上位プログラム
５３  紙幣入出金部上位プログラム
５４  硬貨入出金部上位プログラム
５５  ジャーナル記録部上位プログラム
５６  通帳処理部上位プログラム
５７  明細票発行部上位プログラム
５８  係員操作部上位プログラム
６０  メモリ
【図１】
2014123310.tif 000003
【図２】
2014123310.tif 000004
【図３】
2014123310.tif 000005
【図４】
2014123310.tif 000006
【図５】
2014123310.tif 000007
【図６】
2014123310.tif 000008
【図７】
2014123310.tif 000009
【図８】
2014123310.tif 000010
【図９】
2014123310.tif 000011
【図１０】
2014123310.tif 000012
【図１１】
2014123310.tif 000013
【図１２】
2014123310.tif 000014
【図１３】
2014123310.tif 000015